(57)【要約】      （修正有）【課題】未乾燥圧縮気体供給時に生じたドレンを，放気を伴わずに排出する。【解決手段】レシーバタンク１０と保圧弁４０間に，アフタクーラ３１及びアフタウォーマ３３を備えた除湿流路３０と，主流路２０を並列に連通し，主流路と除湿流路のいずれかを選択的にレシーバタンクに連通させる切替弁を設けて，主流路による未乾燥気体の供給と，除湿流路による乾燥気体の供給を選択的に行えるようにする。そして，アフタウォーマ二次側の除湿流路３０３を，主流路との連結位置Ｐに対し低位置に配置し，このアフタウォーマ二次側の除湿流路の最下端位置３５に一端６０ａを連通すると共に，他端６０ｂを保圧弁二次側の主流路に連通するドレン抜き流路６０を設ける。これにより，主流路を介した圧縮気体の供給時に主流路で生じたドレンはアフタウォーマ二次側の前記除湿流路に流入し，前記ドレン抜き流路を介して排出される。【選択図】図１
2018119415.tif 000002
【特許請求の範囲】
【請求項１】
圧縮機の圧縮気体供給部に一端を連通すると共に，他端を，保圧弁を介して消費側に連通した主流路と，
前記圧縮気体供給部に一端を連通すると共に，他端を前記保圧弁の一次側で前記主流路に連結した除湿流路と，
前記主流路と，前記除湿流路を選択的に前記圧縮気体供給部に連通させる切替弁を設け，
前記除湿流路に，前記圧縮気体供給部からの圧縮気体を導入して冷却するアフタクーラと，前記アフタクーラで発生したドレンを捕集するドレンセパレータと，前記ドレンセパレータでドレンを除去された圧縮気体を導入して加熱するアフタウォーマを設けると共に，
前記アフタウォーマ二次側の前記除湿流路を，前記除湿流路の前記他端と前記主流路との連結位置に対し低位置に配置し，
前記アフタウォーマ二次側の前記除湿流路の最下端位置に一端を連通すると共に，他端を前記保圧弁の二次側の主流路に連通したドレン抜き流路を設けたことを特徴とする圧縮機のドレン排出構造。
【請求項２】
前記保圧弁の二次側の主流路に複数のサービスバルブに対し圧縮気体を分配するエアマニホールドを設け，
前記ドレン抜き流路の前記他端を，前記エアマニホールドの上面を介して前記エアマニホールドの内部空間に連通したことを特徴とする請求項１記載の圧縮機のドレン排出構造。
【発明の詳細な説明】
【技術分野】
【０００１】
本発明は，圧縮機のドレン排出構造に関する。
【背景技術】
【０００２】
圧縮作用空間の潤滑，冷却及び密封に潤滑油を使用する油冷式のスクリュ圧縮機では，圧縮機本体が吸気口より吸い込んだ被圧縮気体は潤滑油と共に圧縮されて気液混合流体として吐出される。
【０００３】
そのため，圧縮機本体が潤滑油と共に吐出した圧縮気体は，これを一旦レシーバタンク内に貯留して気液分離し，油分が分離された圧縮気体を消費側に供給することが行われている。
【０００４】
このような圧縮機において，消費側に接続する空気作業機の種類によっては，油分が除去されているだけでなく，更に水分についても除去された，乾燥した圧縮気体の供給が必要となる場合がある。
【０００５】
この場合には，図４に示すように，レシーバタンク１１０からの圧縮気体をアフタクーラ１３１に導入して冷却することで，圧縮気体中に水蒸気として存在する水分を結露させ，この結露によって生じたドレン（アフタクーラドレン）をドレンセパレータ１３２で捕集して除去し，その後，ドレンを除去した後の圧縮気体を更にアフタウォーマ１３３に導入して温めることで，圧縮気体の相対湿度を低下させて乾燥させた圧縮気体を得，これを消費側に供給することが行われる。
【０００６】
このように，アフタクーラ１３１やアフタウォーマ１３３を備えた圧縮機では，アフタクーラ１３１の二次側にドレンを捕集するドレンセパレータ１３２を設け，このドレンセパレータ１３２内にドレンを捕集する。
【０００７】
このドレンセパレータ１３２には，フロートバルブ１３２ａが設けられており，ドレンセパレータ１３２内に捕集されたドレンが所定の水位以上になると，このフロートバルブ１３２ａが開くことで，ドレンが，流路内を流れる圧縮気体の圧力によってドレン配管１３２ｂを介して機外に排出され，これにより捕集されたドレンが消費側に導入されないようになっている。
【０００８】
また，このようにアフタクーラ１３１で発生したドレンを捕集するドレンセパレータ１３２を備えた圧縮機において，寒冷時における使用によるドレン配管１３２ｂ内でのドレンの凍結を防止すると共に，ドレン排出時の放気音の低減を目的として，図５に示すようにドレン配管１３２ｂを介して排出されるドレンに対し，アフタクーラ１３１の一次側から冷却される前の温かい圧縮気体を導入して合流させてこの圧縮気体と共にドレンを排出することで，ドレン配管１３２ｂでアフタクーラドレンが凍結することを防止すると共に排気音を低減することも提案されている（特許文献１参照）。
【先行技術文献】
【特許文献】
【０００９】
【特許文献１】特許第３７７１２０５号公報
【発明の概要】
【発明が解決しようとする課題】
【００１０】
以上で説明した圧縮機において，アフタクーラ１３１及び／又はアフタウォーマ１３３の内部には，伝熱面積を確保するために，狭く長い流路を形成する等，流動抵抗の大きな流路が形成されているために，これらの機器を通過させることで圧縮気体には圧力損失が生じる。
【００１１】
また，アフタクーラ１３１による冷却時に生じたアフタクーラドレンは，ドレンセパレータ１３２に捕集された後，配管内を流れる圧縮気体の圧力によって機外に排出されることから，このドレンの排出時，配管内の圧縮気体も一部機外に放気されるため，この放気によっても圧縮気体は圧力損失を受ける。
【００１２】
このような圧力損失の発生により，アフタクーラ１３１やアフタウォーマ１３３を介して乾燥させた圧縮気体の供給を行う場合には，同量，同圧力の乾燥させていない圧縮気体を供給する場合に比較して，圧縮気体の生成により多くのエネルギーが必要となり，圧縮機がエンジン駆動型である場合には燃料の消費量が，モータ駆動型である場合には電力の消費量が増大して，圧縮気体の生成コストが高くなる。
【００１３】
そのため，アフタクーラ１３１やアフタウォーマ１３３を備える圧縮機であっても，消費側に接続された空気作業機が，乾燥した圧縮気体の導入を必要としないものである場合には，前述したアフタクーラ１３１やアフタウォーマ１３３を介さずに，レシーバタンク１１０からの圧縮気体を直接，消費側に供給できるようにすることが要望されている。
【００１４】
このような要望に対応するために，図４に示した圧縮機の構造を改変して共通のサービスバルブより乾燥した圧縮気体と，未乾燥の圧縮気体を選択的に取り出せるようにした圧縮機の配管構成を図３に示す。
【００１５】
図３に示す圧縮機では，レシーバタンク１１０からの圧縮気体をアフタクーラ１３１，ドレンセパレータ１３２及びアフタウォーマ１３３を介して消費側に供給する除湿流路１３０を設ける他に，レシーバタンク１１０からの圧縮気体を，アフタクーラ１３１，ドレンセパレータ１３２，及びアフタウォーマ１３３を介することなく，直接，消費側に供給する主流路１２０を設け，この主流路１２０と除湿流路１３０のいずれか一方を選択的にレシーバタンク１１０に連通する切替弁（１２４，１３４）を設けて，消費側に対し乾燥した圧縮気体の供給が不要である場合には主流路１２０を介して圧縮気体の供給を行うと共に，消費側に対し乾燥した圧縮気体の供給が必要である場合には，除湿流路１３０を介して圧縮気体の供給を行うことができるように構成している。
【００１６】
上記構成の圧縮機では，除湿流路１３０を介して圧縮気体の供給を行う場合に流路内で生じたドレン（前述のアフタクーラドレン）はドレンセパレータ１３２によって好適に捕集及び排出することができた点は図４を参照して説明した圧縮機と同様である。
【００１７】
しかし，図３に示す配管構造を備えた圧縮機では，主流路１２０を介して圧縮機気体の供給を行うと，主流路１２０内で生じたドレンの一部が除湿流路１３０（アフタウォーマ１３３二次側の除湿流路１３０３）内に流入して溜まり，溜まったドレンが配管内に錆を生じさせるおそれがあると共に，主流路１２０を介した圧縮気体の供給から，除湿流路１３０を介した圧縮気体の供給に切り替えた際，溜まっていたドレンや錆が，除湿・乾燥後の圧縮気体と共に，消費側に導入されることで，接続されている空気作業機を故障させる原因になるという新たな問題が生じた。
【００１８】
このように，主流路１２０内で生じたドレンが除湿流路１３０側に流入してしまうのは，アフタウォーマ１３３の二次側における除湿流路１３０（１３０３）が，主流路１２０との連結位置Ｐよりも低位地に配置されているために生じたものである。
【００１９】
従って，主流路１２０で生じたドレンが除湿流路１３０に流入することを防止するには，アフタウォーマ１３３の配置を見直す等して，アフタウォーマ１３３の出口１３３ｂを防音箱内の比較的高い位置に配置して，アフタウォーマ１３３の二次側における除湿流路１３０（１３０３）が，連結位置Ｐよりも高所に配置されるようにすれば良い。
【００２０】
しかし，圧縮機の設計上，このようなアフタウォーマ１３３のレイアウトを採用することは困難である。
【００２１】
すなわち，圧縮気体の除湿・乾燥に使用する機器のうち，アフタクーラ１３１は，冷却風を当てることによって内部を通過する圧縮気体の冷却を行うものであることから，図６に示すように，ラジエータやオイルクーラ等と共に，エンジンやモータ等の駆動源に設けた冷却ファンの軸線上に配置される。
【００２２】
また，前述した機器のうちのドレンセパレータ１３２は，アフタクーラ１３１で生じたドレンを捕集するものであるから，アフタクーラ１３１よりも低位置に配置する必要がある。
【００２３】
そして，アフタウォーマ１３３に対し少ない抵抗（従って少ない圧力損失）で圧縮気体を導入しようとすれば，アフタウォーマ１３３の入口１３３ａを，ドレンセパレータ１３２の出口１３２ｃと同一高さに配置することになる。
【００２４】
また，アフタウォーマ１３３における圧縮気体の加熱は，エンジンのラジエータより導入した冷媒や，オイルクーラから導入した潤滑油と圧縮気体との熱交換（図６の例では，ラジエータの冷媒との熱交換）によって行うため，アフタウォーマ１３３の配置は，ラジエータやオイルクーラの下方に配置されることとなる。
【００２５】
そして，アフタウォーマ１３３の上部にはラジエータあるいはオイルクーラが配置されており空間が確保できないことから，アフタウォーマ１３３は必然的に下方に向かって伸びる縦長の形状となり，その下端近くに出口１３３ｂを設ける構造となるから，アフタウォーマ１３３の出口１３３ｂは，必然的に圧縮機の構成機器を収容する防音箱内の底部付近に配置される構成とならざるを得ず，アフタウォーマ１３３の配置の見直しによって除湿流路１３０（１３０３）に対するドレンの流入を防止することは困難である。
【００２６】
そのため，図３に示した圧縮機の配管構造を採用した場合，アフタウォーマ１３３二次側の除湿流路１３０（１３０３）内に流れ込むドレンを排出するための構造が必要となる。
【００２７】
このようなドレンの排出構造として，アフタウォーマ１３３の二次側にも，アフタクーラ１３１の二次側に設けたものと同様のドレンセパレータを設け，このドレンセパレータで捕集したドレンを圧縮気体と共に機外に放出することも考えられる。
【００２８】
しかし，この構成では，ドレンの排出を行うことはできるものの，主流路１２０を介した圧縮気体の供給時にもドレンを排出するために圧縮気体の一部が大気放出されることとなるために圧力損失が生じてしまい，その結果，圧縮気体の生成コストが高くなる。
【００２９】
なお，上記の説明では，圧縮機本体が油冷式のスクリュ圧縮機である場合を例に挙げて説明したことから，主流路１２０と除湿流路１３０に対する圧縮気体の導入をレシーバタンク１１０より行う場合を例として説明した。
【００３０】
しかし，前述した問題点は，圧縮作用空間の潤滑や密封に潤滑油を必要としないオイルフリースクリュ圧縮機のように，装置構成中にレシーバタンクを設けることを要しない圧縮機においても同様に生じ得る問題であり，主流路１２０や除湿流路１３０に対する圧縮気体の供給部は，前述したレシーバタンク１１０に限定されず，図示せざる圧縮機本体を主流路１２０や除湿流路１３０に対する直接の圧縮気体供給部とする圧縮機の構成においても同様に生じ得る。
【００３１】
そこで本発明は，圧縮機本体やレシーバタンク等の圧縮気体の供給部からの圧縮気体を，消費側に対し前述した主流路を介した供給と，除湿流路を介した供給とで選択可能とした圧縮機において，主流路を介した圧縮気体の供給時に，アフタウォーマの二次側における除湿流路内にドレンが流入した場合であっても，このドレンを圧縮気体の放出を伴わずに排出し得るドレン排出構造を提供することを目的とする。
【課題を解決するための手段】
【００３２】
以下に，課題を解決するための手段を，発明を実施するための形態で使用する符号と共に記載する。この符号は，特許請求の範囲の記載と，発明を実施するための形態の記載との対応を明らかにするためのものであり，言うまでもなく，本願発明の技術的範囲の解釈に制限的に用いられるものではない。
【００３３】
上記目的を達成するために，本発明の圧縮機におけるドレン排出構造１は，
圧縮機の圧縮気体供給部１０（実施形態においてレシーバタンク１０）に一端２０ａを連通すると共に，他端２０ｂを，保圧弁４０を介して消費側に連通した主流路２０と，
前記圧縮気体供給部１０に一端３０ａを連通すると共に，他端３０ｂを前記保圧弁４０の一次側で前記主流路２０に連結した除湿流路３０と，
前記主流路２０と，前記除湿流路３０を選択的に前記圧縮気体供給部１０に連通させる切替弁（２４，３４）を設け，
前記除湿流路３０に，前記圧縮気体供給部１０からの圧縮気体を導入して冷却するアフタクーラ３１と，前記アフタクーラ３１で発生したドレンを捕集するドレンセパレータ３２と，前記ドレンセパレータ３２でドレンを除去冷却された圧縮気体を導入して加熱するアフタウォーマ３３を設けると共に，
前記アフタウォーマ３３二次側の前記除湿流路３０（３０３）を，前記除湿流路３０の前記他端３０ｂと前記主流路２０との連結位置Ｐに対し低位置に配置し，
前記アフタウォーマ３３二次側の前記除湿流路３０（３０３）の最下端位置３５に一端６０ａを連通すると共に，他端６０ｂを前記保圧弁４０の二次側の主流路２０１に連通したドレン抜き流路６０を設けたことを特徴とする（請求項１）。
【００３４】
前記保圧弁４０の二次側の主流路２０１に複数のサービスバルブ５１〜５３に対し圧縮気体を分配するエアマニホールド５０を設け，
前記ドレン抜き流路６０の前記他端６０ｂを，前記エアマニホールド５０の上面を介して前記エアマニホールド５０の内部空間に連通するものとしても良い（請求項２）。
【発明の効果】
【００３５】
以上で説明した本発明の構成により，本発明の圧縮機のドレン排出構造では，以下の顕著な効果を得ることができた。
【００３６】
アフタウォーマ３３二次側の除湿流路３０（３０３）の最下端位置３５に一端６０ａを，保圧弁４０の二次側の主流路２０１に他端６０ｂを連通したドレン抜き流路６０から成るドレン排出構造を設けたことで，主流路２０を介した圧縮気体の供給時，アフタウォーマ３３二次側の除湿流路３０（３０３）内に溜まったドレンを，ドレン抜き流路６０を介して保圧弁４０の二次側の主流路２０１に導入して圧縮気体と共に消費側に導入することで，主流路２０を介して行う圧縮気体の供給時に，主流路２０で発生したドレンが除湿流路３０（３０３）内に流入した場合であっても，このドレンを確実に排出することができた。
【００３７】
すなわち，主流路２０を介した圧縮気体の供給時においても，連結位置Ｐで主流路２０と連通しているアフタウォーマ３３二次側の除湿流路３０（３０３）内の圧力は，主流路２０内の圧力と略同一の圧力となっている。
【００３８】
一方，保圧弁４０の二次側の主流路２０１内の圧力は，保圧弁４０を通過する際の圧力損失により，保圧弁４０の一次側の主流路２０内の圧力に比較して低圧となっている。
【００３９】
その結果，アフタウォーマ３３二次側の除湿流路３０（３０３）内の圧力は，保圧弁４０の二次側の主流路２０１内の圧力に対し高圧となっており，アフタウォーマ３３二次側の除湿流路３０（３０３）内に溜まったドレンを，この圧力差によって除湿流路３０（３０３）内の圧縮気体と共に保圧弁４０の二次側の主流路２０１，従って消費側に導入して排出することができた。
【００４０】
上記構成では，ドレンと共に除湿流路３０（３０３）内の圧縮気体の一部が排出されるが，この圧縮気体は大気放出されることなく消費側に導入されて，図示せざる空気作業機の作動圧等として使用されるため，上記構成でのドレン排出による圧力損失は殆ど生じない。
【００４１】
一方，上記ドレンの排出は，主流路を介した圧縮気体の供給が行われているとき，従って，消費側には，乾燥させていない圧縮気体の導入が可能な空気作業機が接続されている状態で行われるため，消費側に供給する圧縮気体にドレンを混ぜて導入しても，これにより空気作業機等が故障することもない。
【００４２】
前記保圧弁４０の二次側の主流路２０１にエアマニホールド５０を設け，前記ドレン抜き流路６０の前記他端６０ｂを，前記エアマニホールド５０の上面を介してエアマニホールド５０の内部空間に連通した構成では，導入したドレンを，エアマニホールド５０内を流れる圧縮気体流に合流させ易くすることができた。
【図面の簡単な説明】
【００４３】
【図１】本発明のドレン排出構造を備えた圧縮機の配管図。
【図２】本発明のドレン排出部構造を備えた圧縮機の要部斜視図。
【図３】未乾燥圧縮気体と乾燥圧縮気体の供給を切替可能とした圧縮機の配管図。
【図４】アフタクーラとアフタウォーマを備えた従来の圧縮機の配管図。
【図５】アフタクーラとアフタウォーマを備えた従来の圧縮機の配管図（特許文献１に対応）。
【図６】アフタクーラ，ドレンセパレータ，及びアフタウォーマの配置説明図。
【発明を実施するための形態】
【００４４】
以下に，本発明の実施形態につき添付図面を参照しながら説明するが，本発明の構成は，以下に示す実施形態に限定されない。
【００４５】
図１及び図２は，本発明のドレン排出構造を備えた圧縮機の配管図であり，図２は，図１に示す配管構造を備えた圧縮機の要部斜視図である。
【００４６】
図１及び図２に示す圧縮機は，圧縮気体供給部１０からの圧縮気体を消費側に供給するための圧縮気体の流路（配管）構造を備えており，油冷式スクリュ圧縮機に対する適用例を示した図１及び図２の実施形態では，油冷式の圧縮機本体（図示せず）が潤滑油との気液混合流体として吐出した圧縮気体を一旦，レシーバタンク内に導入し，このレシーバタンクにおいて油分が除去された圧縮気体を消費側に供給することから，このレシーバタンクが，前述した圧縮気体供給部１０となる。
【００４７】
もっとも，既に説明したように，例えばオイルフリースクリュ圧縮機等のように圧縮機の型式によっては，構成中にレシーバタンクを設ける必要のない圧縮機もあり，このような圧縮機を対象とする場合，圧縮機本体が前述した圧縮気体供給部１０となる。
【００４８】
本実施形態において，前述した圧縮気体供給部であるレシーバタンク１０より吐出された圧縮気体は，除湿流路３０（３０１，３０２，３０３）又は主流路２０のいずれか一方を介して保圧弁４０に導入され，この保圧弁４０の二次側の主流路２０１に設けられたエアマニホールド５０で各サービスバルブ５１〜５３に分配され，これらサービスバルブ５１〜５３に接続された空気作業機（図示せず）に供給される。
【００４９】
前述の保圧弁４０は，この保圧弁４０の一次側の圧縮気体の圧力が所定の圧力以上であるときに開弁して圧縮気体を通過させ，それ以外のときに閉弁して圧縮気体の供給を停止させるもので，この保圧弁４０によって消費側に対し，所定の圧力以上の圧縮気体を供給すると共に，レシーバタンク１０内の圧力を所定圧力以上に保持することができるように構成されている。
【００５０】
また，この保圧弁４０の二次側の主流路２０１に設けられたエアマニホールド５０は，保圧弁４０を介して導入された圧縮気体を各サービスバルブ５１〜５３に分配して導入するための分岐路である。
【００５１】
本実施形態では，サービスバルブ５１〜５３として５０Ａ（直径２インチ）の接続口を有する１つのサービスバルブ５１と，２０Ａ（直径３／４インチ）の接続口を有する２つのサービスバルブ５２，５３を設けているが，サービスバルブ５１〜５３の口数及び口径は，接続することが予定される空気作業機の種類や個数に合わせて適宜変更可能である。
【００５２】
圧縮気体供給部である前述のレシーバタンク１０からの圧縮気体を消費側に導入する流路（２０，３０）のうちの一方である前述の主流路２０は，一端２０ａをレシーバタンク１０に連通すると共に，他端２０ｂを前記保圧弁４０に連通した流路であり，レシーバタンク１０からの圧縮気体を，直接，保圧弁４０を介して消費側に導入する。
【００５３】
これに対し，他方の流路である前述の除湿流路３０（３０１，３０２，３０３）は，一端３０ａをレシーバタンク１０に連通し，他端３０ｂを，前記保圧弁４０の一次側において前記主流路２０に連通した流路である。
【００５４】
この除湿流路３０には，一端３０ａ側から他端３０ｂ側に向かってアフタクーラ３１，ドレンセパレータ３２，及びアフタウォーマ３３が設けられており，これらの機器を通過させることにより，レシーバタンク１０からの圧縮気体は，除湿・乾燥された後，保圧弁４０及びエアマニホールド５０を介して消費側に供給される。
【００５５】
このうちのアフタクーラ３１は，レシーバタンク１０からの圧縮気体を導入して冷却するもので，この冷却により圧縮気体中に水蒸気として存在する水を結露させてドレンを発生させることで，圧縮気体中の水分量を減少させる。
【００５６】
前述のドレンセパレータ３２は，アフタクーラ３１の二次側に配置され，アフタクーラ３１による冷却により結露して生じたドレンを捕集する。
【００５７】
更に，前述のアフタウォーマ３３は，アフタクーラ３１及びドレンセパレータ３２によって水分が除去された圧縮気体を加熱することで，加熱後の圧縮気体の相対湿度を低下させることで乾燥した圧縮気体を得る。
【００５８】
以上のように構成された主流路２０と，除湿流路３０には，２つの流路のいずれか一方を選択的にレシーバタンク１０に連通させるための切替弁（２４，３４）が設けられている。
【００５９】
図示の実施形態では，主流路２０を開閉する第１の開閉弁２４と，アフタクーラ３１一次側の除湿流路３０（３０１）を開閉する第２の開閉弁３４をそれぞれ設けている。
【００６０】
これにより，第１の開閉弁２４を開き，第２の開閉弁３４を閉じることでレシーバタンク１０からの圧縮気体を除湿・乾燥させることなく主流路２０を介して直接消費側に供給することができ，これとは逆に，第１の開閉弁２４を閉じ，第２の開閉弁３４を開くことで，レシーバタンク１０からの圧縮気体をアフタクーラ３１，ドレンセパレータ３２及びアフタウォーマ３３を介して除湿・乾燥させた後，消費側に供給することができるように構成されている。
【００６１】
なお，図示の例では前述した切替弁の構成として，主流路２０と除湿流路３０にそれぞれ別個に第１及び第２の開閉弁２４，３４を設け，２つの開閉弁２４，３４の開閉状態の組み合わせによって主流路２０又は除湿流路３０のいずれか一方を選択的にレシーバタンク１０に連通させる構成としたが，上記構成に代え，主流路２０の一端２０ａと除湿流路３０の一端３０ａの分岐点に，単一の切替弁（図示せず）を設けていずれか一方の流路２０又は３０を選択的にレシーバタンク１０と連通するようにしても良く，主流路２０と除湿流路３０のいずれか一方を選択的にレシーバタンク１０に連通させることができるものであれば，切替弁の構成は図示の例に限定されない。
【００６２】
上記配管構造を備えた圧縮機には，主流路２０を介して行う圧縮気体の供給時に発生したドレンを排出するためのドレン排出構造１が設けられている。
【００６３】
このようなドレン排出構造１として，本発明では，前述のアフタウォーマ３３二次側の除湿流路３０（３０３）を，前記主流路２０との連結位置Ｐに対し低位置に配置すると共に，このアフタウォーマ３３二次側の除湿流路３０（３０３）の最下端位置３５に，ドレン抜き流路６０の一端６０ａを連通すると共に，このドレン抜き流路６０の他端６０ｂを保圧弁４０の二次側の主流路，図示の例では保圧弁４０の二次側の主流路２０１に設けたエアマニホールド５０内の空間に，該エアマニホールド５０の上面を介して連通している。
【００６４】
このドレン抜き流路６０は，逆止弁６１を備え，該ドレン抜き流路６０の他端６０ｂ側から一端６０ａ側への流体の逆流が防止されている。
【００６５】
以上のように構成された本発明のドレン排出構造１を備えた圧縮機において，第１の開閉弁２４を閉じ，第２の開閉弁３４を開いた状態で行う，除湿流路３０を介した圧縮気体の供給時には，レシーバタンク１０からの圧縮気体がアフタクーラ３１で冷却されて結露したドレンをドレンセパレータ３２で捕集して除去し，その後，水分量が減少した圧縮気体をアフタウォーマ３３で加熱して相対湿度を低下させて得た乾燥空気が消費側に供給される点は，図４を参照して説明した従来の圧縮機と同様である。
【００６６】
また，アフタクーラ３１における冷却で生じたアフタクーラドレンは，ドレンセパレータ３２で捕集され，ドレンセパレータ３２内に溜まったアフタクーラドレンの水位が一定以上に上昇すると，アフタクーラドレン３２に設けたフロートバルブ３２ａが開き，ドレン配管３２ｂを介して除湿流路３０（３０２）内の圧縮気体の一部と共に機外に放出される点についても図４を参照して説明した従来の圧縮機と同様である。
【００６７】
なお，除湿流路３０を介した圧縮気体の供給時には，アフタウォーマ３３の二次側には除湿・乾燥後の圧縮気体が導入されるため，最下端位置３５を含め，アフタウォーマ３３二次側の除湿流路３０（３０３）内にはドレンが溜まることはない。
【００６８】
一方，第２の切替弁３４を閉じ，第１の切替弁２４を開いた状態で行う，主流路２０を介した圧縮気体の供給では，レシーバタンク１０からの圧縮気体は，除湿・乾燥されることなく主流路２０を介してそのまま保圧弁４０に導入され，エアマニホールド５０を介して消費側に供給される。
【００６９】
この主流路２０を介した圧縮気体の供給時においても，レシーバタンク１０の圧縮気体は，主流路２０を通過する際に少なからず冷却されるため，圧縮気体中に水蒸気として含まれていた水分が結露してドレンが生じる。
【００７０】
このようにして生じたドレンは，圧縮気体と共に保圧弁４０を介して消費側に供給されるものもあるが，アフタウォーマ３３二次側の除湿流路３０（３０３）が連結位置Ｐに対し低位置に配置されているため，主流路２０内で生じたドレンの一部がアフタウォーマ３３二次側の除湿流路３０（３０３）内に流入する。
【００７１】
しかし，アフタウォーマ３３二次側の除湿流路３０（３０３）の最下端位置３５には，ドレン抜き流路６０の一端６０ａが連結されていると共に，このドレン抜き流路６０の他端６０ｂが，保圧弁４０の二次側の主流路，図示の例では，保圧弁の二次側の主流路２０１に設けたエアマニホールド５０の内部空間に連通されていることで，主流路２０を介した圧縮気体の供給時に，アフタウォーマ３３二次側の除湿流路３０（３０３）内にドレンが流入したとしても，このドレンは，最下端位置３５に連通されたドレン抜き流路６０を介してエアマニホールド５０内に押し出され，圧縮気体と共に消費側に接続された空気作業機に供給される。
【００７２】
すなわち，主流路２０を介した圧縮気体の供給時，第２の開閉弁３４は閉じた状態となっているが，除湿流路３０の他端３０ｂ側は連結位置Ｐを介して主流路２０と連通しているため，アフタウォーマ３３二次側の除湿流路３０（３０３）内の圧力は，主流路１０内の圧力と略同一圧力となっている。
【００７３】
一方，保圧弁４０の開弁により，保圧弁４０の二次側の主流路２０１にも保圧弁４０の一次側の主流路２０からの圧縮気体は導入されているが，保圧弁４０の一次側の主流路２０からの圧縮気体は，保圧弁４０を通過する際の圧力損失によって圧力が低下しているため，保圧弁４０の一次側の主流路２０内の圧力に比べ低圧となっている。
【００７４】
その結果，保圧弁４０の二次側の主流路内２０１の圧力は，アフタウォーマ３３二次側の除湿流路３０（３０３）内の圧力に対しても低圧となっており，両空間の圧力差によって，アフタウォーマ３３二次側の除湿流路３０（３０３）内にあるドレンは，最下端位置３５からドレン抜き流路６０を介して保圧弁４０の二次側の主流路２０１に設けたエアマニホールド５０内の空間に導入され，圧縮気体と共に消費側に導入される。
【００７５】
ここで，アフタクーラ３１の二次側に設けたドレンセパレータ３２によって行うドレンの排出では，ドレンセパレータ３２内にドレンが溜まるとフロートバルブ３２ａが開いてドレンが除湿流路３０（３０２）内の圧縮気体と共に機外に放出される構成となっており，ドレンと共に圧縮気体が放気されることで除湿流路３０内を流れる圧縮気体の圧力が低下する。
【００７６】
これに対し，上記構成のドレン抜き流路６０を介したドレンの排出でも，ドレンの排出時，アフタウォーマ３３二次側の除湿流路３０（３０３）内の圧縮気体は，その一部がドレンと共に保圧弁４０の二次側の主流路２０１に導入されることとなる。
【００７７】
しかし，この圧縮気体は，ドレンと共に消費側に供給されて，空気作業機の作動圧力等として利用されるものであることから，本発明の構成ではドレン排出に伴う圧力損失が生じず，あるいは生じたとしてもごく僅かであり，効率的にドレンの排出を行うことが可能である。
【００７８】
このように，アフタウォーマ３３二次側の除湿流路３０（３０３）内にドレンが溜まることが防止できる結果，この部分にドレンが溜まることにより生じる除湿流路３０（３０３）内の錆の発生が好適に防止できると共に，主流路２０を介した圧縮気体の供給から，切替弁（２４，３４）の操作により，除湿流路３０を介した圧縮気体の供給に切り替えた場合であっても，除湿・乾燥させた圧縮気体に，アフタウォーマ３３二次側の除湿流路３０（３０３）内に溜まったドレンや錆が導入されることが防止される。
【符号の説明】
【００７９】
１  ドレン排出構造
１０  レシーバタンク（圧縮気体供給部）
２０  主流路（保圧弁４０の一次側の）
２０１  主流路（保圧弁４０の二次側の）
２０ａ  一端（主流路２０の）
２０ｂ  他端（主流路２０の）
２４  切替弁（第１の開閉弁）
３０  除湿流路
３０ａ  一端（除湿流路３０の）
３０ｂ  他端（除湿流路３０の）
３０１  除湿流路の部分（アフタクーラ一次側）
３０２  除湿流路の部分（アフタクーラとアフタウォーマ間）
３０３  除湿流路の部分（アフタウォーマ二次側）
３１  アフタクーラ
３２  ドレンセパレータ
３２ａ  フロートバルブ
３２ｂ  ドレン配管
３３  アフタウォーマ
３４  切替弁（第２の開閉弁）
３５  最下端位置
４０  保圧弁
５０  エアマニホールド
５１〜５３  サービスバルブ
６０  ドレン抜き流路
６０ａ  一端（ドレン抜き流路６０の）
６０ｂ  他端（ドレン抜き流路６０の）
６１  逆止弁
Ｐ  連結位置
１１０  レシーバタンク
１２０  主流路
１２４，１３４  切替弁
１３０  除湿流路
１３１  アフタクーラ
１３２  ドレンセパレータ
１３２ａ  フロートバルブ
１３２ｂ  ドレン配管
１３２ｃ  出口（ドレンセパレータの）
１３３  アフタウォーマ
１３３ａ  入口（アフタウォーマの）
１３３ｂ  出口（アフタウォーマの）
【図１】
2018119415.tif 000003
【図２】
2018119415.tif 000004
【図３】
2018119415.tif 000005
【図４】
2018119415.tif 000006
【図５】
2018119415.tif 000007
【図６】
2018119415.tif 000008